(57)【要約】【課題】各感光ドラムの相対配置を精度よく位置決めすることができるドラムユニットおよび画像形成装置を提供すること。【解決手段】  互いに間隔を隔てて並列配置される各感光ドラム１２を備えるドラムユニット２４において、両コイル部材５２のコイル部（コイル部５８およびコイル部６８）を、感光ドラム１２の回転方向と反対の方向となるように、感光ドラム１２の両フランジ部材４２の外周面に巻き付けるとともに、両コイル部材５２の係止端部（係止端部５６および係止端部６６）を、感光ドラム１２を回転可能に支持する内側板３２に揺動自在に支持する。【選択図】図６
2012073445.tif 000002
【特許請求の範囲】
【請求項１】
互いに間隔を隔てて並列配置される複数の感光ドラムと、
各前記感光ドラムの軸線方向一端部をそれぞれ回転可能に支持する複数の第１支持部材と、
各前記感光ドラムの軸線方向他端部をそれぞれ回転可能に支持する複数の第２支持部材と、
各前記感光ドラムの軸線方向一端部の外周面にそれぞれ巻き付けられる複数の第１巻付部材と、
各前記感光ドラムの軸線方向他端部の外周面にそれぞれ巻き付けられる複数の第２巻付部材と
を備え、
各前記第１巻付部材は、それぞれ、
前記第１支持部材に揺動自在に支持される第１被支持部と、
前記第１被支持部から、前記感光ドラムの回転方向と反対の方向となるように、前記感光ドラムの外周面に巻き付けられる第１巻付部とを備え、
各前記第２巻付部材は、それぞれ、
前記第２支持部材に揺動自在に支持される第２被支持部と、
前記第２被支持部から、前記感光ドラムの回転方向と反対の方向となるように、前記感光ドラムの外周面に巻き付けられる第２巻付部とを備え、
各前記感光ドラムの軸線方向一端部および軸線方向他端部は、各前記感光ドラムが各前記第１巻付部材および各前記第２巻付部材の巻き付け方向と反対の方向に回転されたときに、各前記第１巻付部材の第１被支持部、および、各前記第２巻付部材の第２被支持部を支点として、前記感光ドラムの軸線方向と直交する方向における同一方向に揺動されることを特徴とする、ドラムユニット。
【請求項２】
各前記第１巻付部材の第１被支持部と、各前記第２巻付部材の第２被支持部とは、前記感光ドラムの軸線方向に投影したときに互いに重なるように、対応する各前記第１支持部材または各前記第２支持部材に支持されていることを特徴とする、請求項１に記載のドラムユニット。
【請求項３】
各前記感光ドラムにそれぞれ接触される複数の現像剤担持体が着脱自在に保持され、
各前記第１巻付部材の第１被支持部と、各前記第２巻付部材の第２被支持部とは、各前記感光ドラムの軸線方向一端部および軸線方向他端部が、前記現像剤担持体の前記感光ドラムに対する接触方向に向かって揺動されるように、対応する各前記第１支持部材または各前記第２支持部材に支持されていることを特徴とする、請求項１または２に記載のドラムユニット。
【請求項４】
装置本体と、
請求項１ないし３のいずれか一項に記載のドラムユニットと、
各前記感光ドラムにそれぞれ接触される複数の現像剤担持体と
を備えることを特徴とする、画像形成装置。
【発明の詳細な説明】
【技術分野】
【０００１】
本発明は、レーザプリンタなどの画像形成装置、および、この画像形成装置に装備されるドラムユニットに関する。
【背景技術】
【０００２】
電子写真方式のカラープリンタとして、イエロー、マゼンタ、シアン、ブラックの各色のトナーに対応して並列配置される複数の感光体を備えるタンデム型カラーレーザプリンタが知られている。
【０００３】
例えば、４つの感光ドラムを一体的に保持するドラムユニットを、本体ケーシングに対して着脱可能に備えるカラーレーザプリンタが知られている（たとえば、特許文献１参照。）。
【０００４】
このドラムユニットは、各感光ドラムと、各感光ドラムを軸線方向両側から挟む１対の側板とを備えている。
【先行技術文献】
【特許文献】
【０００５】
【特許文献１】特開２００７−７２４２２号公報
【発明の概要】
【発明が解決しようとする課題】
【０００６】
しかるに、上記した特許文献１において、両側板間に感光ドラムを保持させるには、例えば、感光ドラムの軸線方向両端部にフランジ部材を固定するとともに、フランジ部材を受け入れ可能な軸受部材を、両側板に形成された貫通穴に固定し、フランジ部材を軸受部材に回転可能に挿通する方法が検討される。
【０００７】
この方法では、両側板間に熱膨張率差が生じることを想定して、その熱膨張率差に起因して各感光ドラムの相対配置がずれることを防止する目的で、フランジ部材を、軸受部材に遊びを有する状態で挿通する必要がある。
【０００８】
しかし、フランジ部材を、軸受部材に遊びを有する状態で挿通すると、その遊びのために、各感光ドラムの相対配置を精度よく位置決めすることが困難である。
【０００９】
そこで、本発明の目的は、各感光ドラムの相対配置を精度よく位置決めすることができるドラムユニットおよび画像形成装置を提供することにある。
【課題を解決するための手段】
【００１０】
上記した目的を達成するため、第１の発明は、ドラムユニットであって、互いに間隔を隔てて並列配置される複数の感光ドラムと、各前記感光ドラムの軸線方向一端部をそれぞれ回転可能に支持する複数の第１支持部材と、各前記感光ドラムの軸線方向他端部をそれぞれ回転可能に支持する複数の第２支持部材と、各前記感光ドラムの軸線方向一端部の外周面にそれぞれ巻き付けられる複数の第１巻付部材と、各前記感光ドラムの軸線方向他端部の外周面にそれぞれ巻き付けられる複数の第２巻付部材とを備え、各前記第１巻付部材は、それぞれ、前記第１支持部材に揺動自在に支持される第１被支持部と、前記第１被支持部から、前記感光ドラムの回転方向と反対の方向となるように、前記感光ドラムの外周面に巻き付けられる第１巻付部とを備え、各前記第２巻付部材は、それぞれ、前記第２支持部材に揺動自在に支持される第２被支持部と、前記第２被支持部から、前記感光ドラムの回転方向と反対の方向となるように、前記感光ドラムの外周面に巻き付けられる第２巻付部とを備え、各前記感光ドラムの軸線方向一端部および軸線方向他端部は、各前記感光ドラムが各前記第１巻付部材および各前記第２巻付部材の巻き付け方向と反対の方向に回転されたときに、各前記第１巻付部材の第１被支持部、および、各前記第２巻付部材の第２被支持部を支点として、前記感光ドラムの軸線方向と直交する方向における同一方向に揺動されることを特徴としている。
【００１１】
また、第２の発明は、装置本体と、上記したドラムユニットと、各前記感光ドラムにそれぞれ接触される複数の現像剤担持体とを備えることを特徴としている。
【発明の効果】
【００１２】
第１の発明によれば、各感光ドラムの軸線方向一端部および軸線方向他端部は、各感光ドラムが各第１巻付部材および各第２巻付部材の巻き付け方向と反対の方向に回転されたときに、各第１巻付部材の第１被支持部、および、各第２巻付部材の第２被支持部を支点として、同一方向に揺動される。
【００１３】
つまり、各感光ドラムを、各第１巻付部材の第１被支持部、および、各第２巻付部材の第２被支持部を支点として、同一方向に揺動させることができる。
【００１４】
そのため、各感光ドラムが各第１支持部材および各第２支持部材に遊びを有する状態で支持されている場合でも、各感光ドラムを同一方向に揺動させて、遊びによる各感光ドラムの相対配置のずれを低減することができる。
【００１５】
その結果、各感光ドラムの相対配置を精度よく位置決めすることができる。
【００１６】
また、第２の発明によれば、各感光ドラムの相対配置を精度よく位置決めすることができるドラムユニットを備えているので、各色の画像を精度よく重ね合わせることができる。
【図面の簡単な説明】
【００１７】
【図１】本発明の画像形成装置の一例としてのカラーレーザプリンタを示す断面図である。
【図２】図１に示すプロセスユニットを示す斜視図である。
【図３】図２に示すドロワユニットにおいて、内側板に支持される感光ドラムを示す斜視図である。
【図４】図２に示すドロワユニットにおいて、内側板に支持される軸受部材および巻付部材を示す分解斜視図である。
【図５】図３のＡ−Ａ断面図である。
【図６】感光ドラムが回転されたときの感光ドラムの揺動を説明するための説明図であって、（ａ）は、図３のＢ−Ｂ断面図であり、感光ドラムの右端部の揺動を示し、（ｂ）は、図３のＣ−Ｃ断面図であり、感光ドラムの左端部の揺動を示す。
【発明を実施するための形態】
【００１８】
１．カラーレーザプリンタの全体構成
図１に示すように、画像形成装置の一例としてのカラーレーザプリンタ１は、横置きタイプのダイレクトタンデム型カラーレーザプリンタである。カラーレーザプリンタ１は、装置本体の一例としての本体ケーシング２内に、用紙Ｐを給紙するための給紙部３と、給紙された用紙Ｐに画像を形成するための画像形成部４とを備えている。
（１）本体ケーシング
本体ケーシング２は、給紙部３および画像形成部４を収容する側面視略矩形状のボックス状に形成されており、その一方側壁には、本体ケーシング２の内部空間を開放するためのフロントカバー５が形成されている。フロントカバー５は、本体ケーシング２に対して下端部を支点として揺動自在に設けられている。
【００１９】
なお、以下の説明において、フロントカバー５が設けられる側（図１における紙面左側）を前側とし、その反対側（図１における紙面右側）を後側とする。また、カラーレーザプリンタ１を前側から見たときを左右の基準とする。すなわち、図１の紙面手前側が右側であり、紙面奥側が左側である。
（２）給紙部
給紙部３は、本体ケーシング２内の底部において、用紙Ｐを収容する給紙トレイ６を備えている。
【００２０】
給紙トレイ６に収容されている用紙Ｐは、給紙トレイ６の前端部上側に配置される１対のレジストローラ７間に向けて１枚ずつ給紙され、所定のタイミングで、画像形成部４（感光ドラム１２（後述）と搬送ベルト１８（後述）との間）に向けて搬送される。
（３）画像形成部
画像形成部４は、スキャナユニット８、プロセスユニット９、転写ユニット１０、および定着ユニット１１を備えている。
（３−１）スキャナユニット
スキャナユニット８は、本体ケーシング２の上部に配置されている。スキャナユニット８は、実線で示すように、４つの感光ドラム１２（後述）に向けて、画像データに基づいて、レーザービームをそれぞれ出射し、感光ドラム１２（後述）を露光する。
（３−２）プロセスユニット
（３−２−１）プロセスユニットの構成
プロセスユニット９は、スキャナユニット８の下側であって、転写ユニット１０の上側に配置されており、ドラムユニット２４および現像ユニット１４を備えている。
【００２１】
ドラムユニット２４は、感光体の一例としての感光ドラム１２と、スコロトロン型帯電器１３とを備えている。
【００２２】
感光ドラム１２は、左右に延びる略円筒形状に形成されており、左右に沿って設けられ、前後方向に互いに間隔を隔てて、４つ並列配置されている。
【００２３】
スコロトロン型帯電器１３は、各感光ドラム１２に対応するように、感光ドラム１２の後上側に、感光ドラム１２と間隔を隔てて対向配置されている。
【００２４】
現像ユニット１４は、各感光ドラム１２に対応するように、感光ドラム１２の上側に配置されている。また、各現像ユニット１４は、それぞれ、現像ローラ１５を備えている。
【００２５】
現像ローラ１５は、現像ユニット１４の下端において、後側から露出されるように回転可能に支持されており、感光ドラム１２に対して前上側から対向し、接触されている。
【００２６】
現像ユニット１４には、現像ローラ１５の上側の空間において、各色に対応する現像剤の一例としてのトナーが収容されている。
（３−２−２）プロセスユニットでの現像動作
現像ユニット１４内のトナーは、現像ローラ１５の回転に伴って、現像ローラ１５の表面に担持される。
【００２７】
一方、感光ドラム１２の表面は、感光ドラム１２の回転に伴って、スコロトロン型帯電器１３により一様に帯電された後、スキャナユニット８からのレーザービーム（図１破線参照。）の高速走査により露光される。これにより、用紙Ｐに形成すべき画像に対応した静電潜像が感光ドラム１２の表面に形成される。
【００２８】
感光ドラム１２がさらに回転すると、現像ローラ１５の表面に担持されているトナーが、感光ドラム１２の表面に形成されている静電潜像に供給される。これにより、感光ドラム１２の静電潜像は可視像化され、感光ドラム１２の表面には、反転現像によるトナー像が担持される。
（３−３）転写ユニット
転写ユニット１０は、本体ケーシング２内において、給紙部３の上側であって、プロセスユニット９の下側において、前後方向に沿って配置されている。この転写ユニット１０は、駆動ローラ１６および従動ローラ１７と、搬送ベルト１８と、４つの転写ローラ１９とを備えている。
【００２９】
駆動ローラ１６および従動ローラ１７は、互いに前後方向に間隔を隔てて対向配置されている。
【００３０】
搬送ベルト１８は、各感光ドラム１２に対して下側から対向され、その上側部分が各感光ドラム１２と接触するように、駆動ローラ１６および従動ローラ１７の周りに掛け渡されている。また、搬送ベルト１８は、駆動ローラ１６の駆動により、各感光ドラム１２と接触する搬送ベルト１８の上側部分が前側から後側に向かって移動するように、周回移動されている。
【００３１】
各転写ローラ１９は、搬送ベルト１８の上側部分を挟んで各感光ドラム１２に対向するように設けられている。
【００３２】
そして、給紙部３から給紙された用紙Ｐは、搬送ベルト１８によって、前側から後側に向かって、各感光ドラム１２と各転写ローラ１９とが対向する転写位置を順次通過するように搬送される。その搬送中に、各感光ドラム１２に担持されている各色のトナー像が、用紙Ｐに順次転写され、カラー画像が形成される。
（３−４）定着ユニット
定着ユニット１１は、搬送ベルト１８の後上側に配置され、加熱ローラ２０、および、加熱ローラ２０に圧接される加圧ローラ２１を備えている。
【００３３】
転写ユニット１０において用紙Ｐに転写されたカラー画像は、用紙Ｐが加熱ローラ２０と加圧ローラ２１との間を通過するときに、加熱および加圧されることによって用紙Ｐに熱定着される。
（４）排紙
トナー像が定着した用紙Ｐは、各排紙ローラ２２によって、図示しないＵターンパスを通過するように搬送され、スキャナユニット８の上側に形成される排紙トレイ２３上に排紙される。
２．ドロワユニットの詳細
図２および図３に示すように、ドラムユニット２４は、枠体３１と、各感光ドラム１２と、４対の軸受ユニット３６と、４つのドラムサブユニット３０とを備えている。
（１）枠体
枠体３１は、１対の内側板３２、１対の外側板３３、フロントビーム３４およびリヤビーム３５を備えている。
【００３４】
両内側板３２は、図３に示すように、同一のプレス型を用いた金属板のプレス加工によって、前後方向に延びる側面視略矩形状に形成され、互いに左右方向に間隔を隔てて対向配置されている。詳しくは、両内側板３２は、左右方向に投影したときに、右側の内側板３２（以下、右内側板３２Ｒとする。）の各ドラム支持穴３７（後述）と、左側の内側板３２（以下、左内側板３２Ｌとする。）の各ドラム支持穴３７（後述）とがそれぞれ一致するように、互いに対向配置されている。
【００３５】
内側板３２には、ドラム支持穴３７と、上下１対の軸受係止部３８と、コイル係止溝３９とが形成されている。
【００３６】
ドラム支持穴３７は、側面視略円形状に形成され、前後方向に互いに等間隔を隔てて４つ直列配置されている。
【００３７】
両軸受係止部３８は、ドラム支持穴３７を上下方向に挟むように、内側板３２の上端縁および下端縁に４対形成されている。
【００３８】
上側の軸受係止部３８は、ドラム支持穴３７の上側において、内側板３２の上端縁から下方へ向かって、ドラム支持穴３７の上端縁の上側まで切り欠かれ、側面視略矩形状に形成されている。
【００３９】
下側の軸受係止部３８は、ドラム支持穴３７の下側において、内側板３２の下端縁から上方へ向かって、ドラム支持穴３７の下端縁の下側まで切り欠かれ、側面視略矩形状に形成されている。
【００４０】
コイル係止溝３９は、各ドラム支持穴３７の後上側に1つずつ配置されている。また、コイル係止溝３９は、内側板３２の上端縁から前下方へ傾斜するように、ドラム支持穴３７の後上側まで切り欠かれ、側面視略直線状に形成されている。
【００４１】
両外側板３３は、図２に示すように、上下方向において内側板３２よりも幅広、かつ、前後方向において内側板３２とほぼ同じ長さを有する側面視略矩形状に形成されている。両外側板３３は、両内側板３２に対して左右方向外側から接触されるように、互いに左右方向に間隔を隔てて対向配置されている。
【００４２】
フロントビーム３４は、両内側板３２の前端部間に架設されている。
【００４３】
リヤビーム３５は、両内側板３２の後端部間に架設されている。
（２）感光ドラム
感光ドラム１２は、図３および図５に示すように、ドラム本体４１と、１対のフランジ部材４２とを備えている。
【００４４】
ドラム本体４１は、左右に延びる略円筒形状に形成されている。
【００４５】
両フランジ部材４２は、ドラム本体４１の左右両端部にそれぞれ相対回転不能に嵌合されている。両フランジ部材４２は、それぞれ、ドラム本体４１内に挿入されるドラム嵌合部４３と、軸受ユニット３６に支持される軸受嵌合部４４とを備えている。
【００４６】
詳しくは、右側のフランジ部材４２（以下、右フランジ部材４２Ｒとする。）のドラム嵌合部４３は、ドラム本体４１の内径と略同径の略円柱形状に形成されている。
【００４７】
また、右フランジ部材４２Ｒの軸受嵌合部４４は、ドラム嵌合部４３と中心軸線を共有するようにドラム嵌合部４３から右側へ突出され、右端部が開放される略円筒形状に形成されている。
【００４８】
右フランジ部材４２Ｒは、右内側板３２Ｒのドラム支持穴３７の内径よりも小径に形成されている。
【００４９】
また、左側のフランジ部材４２（以下、左フランジ部材４２Ｌとする。）のドラム嵌合部４３は、ドラム本体４１の内径と略同径の略円柱形状に形成されている。
【００５０】
また、左フランジ部材４２Ｌの軸受嵌合部４４は、ドラム嵌合部４３と中心軸線を共有するようにドラム嵌合部４３から左側へ突出され、左端部が閉鎖される略円柱形状に形成されている。
【００５１】
左フランジ部材４２Ｌは、右フランジ部材４２Ｒの軸受嵌合部４４の外径と略同径に形成されている。
【００５２】
なお、左フランジ部材４２Ｌの左端部には、本体ケーシング２内のカップリング雄部材（図示せず）の嵌合突起（図示せず）が嵌合されるカップリング嵌合穴（図示せず）が形成されている。
（３）軸受ユニット
軸受ユニット３６は、図３および図４に示すように、軸受部材５１と、コイル部材５２とを備えている。また、軸受ユニット３６は、両内側板３２に固定され、感光ドラム１２の左右両端部を回転可能に支持している。
【００５３】
なお、以下の説明において、両軸受ユニット３６の左右方向に言及する場合には、右側の軸受ユニット３６を右軸受ユニット３６Ｒとし、左側の軸受ユニット３６を左軸受ユニット３６Ｌとする。また、右軸受ユニット３６Ｒの軸受部材５１を右軸受部材５１Ｒとし、右軸受ユニット３６Ｒのコイル部材５２を、第１巻付部材の一例としての右コイル部材５２Ｒとする。また、左軸受ユニット３６Ｌの軸受部材５１を左軸受部材５１Ｌとし、左軸受ユニット３６Ｌのコイル部材５２を、第２巻付部材の一例としての左コイル部材５２Ｌとする。
（３−１）右軸受ユニット
右軸受ユニット３６Ｒは、右軸受部材５１Ｒと、右コイル部材５２Ｒとを備えている。
【００５４】
右軸受部材５１Ｒは、図４に示すように、筒部６１と鍔部６２とを一体的に備えている。
【００５５】
筒部６１は、左右に延び、左端部が開放され、右端部が側壁により閉鎖された略円筒形状に形成されている。筒部６１の外径は、内側板３２のドラム支持穴３７の内径よりわずかに小径である。また、筒部６１の内径は、右フランジ部材４２Ｒの軸受嵌合部４４が遊嵌されるように、右フランジ部材４２Ｒの軸受嵌合部４４よりわずかに大径である。
【００５６】
鍔部６２は、筒部６１の左端部から径方向外側に突出する略円環形状に形成されている。また、鍔部６２には、上下１対の係止部６５が設けられている。
【００５７】
上側の係止部６５は、正面視略Ｌ字形状に形成されており、鍔部６２の上端縁から上方に突出し、その上端縁において右側へ屈曲され、その右端部が下側へ突出する鉤状に形成されている。また、下側の係止部６５は、正面視略Ｌ字形の平板形状に形成されており、鍔部６２の下端縁から下方に突出し、その下端縁において右側へ屈曲され、その右端部が上側へ突出する鉤状に形成されている。
【００５８】
右軸受部材５１Ｒは、筒部６１がドラム支持穴３７に内嵌され、両係止部６５が対応する軸受係止部３８に係止されるように、左側から右内側板３２Ｒに取り付けられている。
【００５９】
また、右軸受部材５１Ｒの筒部６１には、感光ドラム１２の右フランジ部材４２Ｒの軸受嵌合部４４が、相対回転可能に内嵌されている。
【００６０】
右コイル部材５２Ｒは、金属ワイヤなどからコイル状に形成され、例えば、コイルばねなどからなり、第１被支持部の一例としての係止端部６６と、連結部６７と、第１巻付部の一例としてのコイル部６８とを備えている。
【００６１】
係止端部６６は、左右方向に延びる略直線形状に形成されている。
【００６２】
連結部６７は、係止端部６６の左端部から連続して、前下側へ延びる略直線形状に形成されている。
【００６３】
コイル部６８は、左側面視反時計回りに巻かれ、連結部６７の下端部から連続して左側へ延びる螺旋形状に形成されている。また、コイル部６８の内径は、感光ドラム１２の右フランジ部材４２Ｒの軸受嵌合部４４の外径よりもわずかに小径である。
【００６４】
右コイル部材５２Ｒの係止端部６６は、コイル係止溝３９の前端部内に嵌合されるように、右内側板３２Ｒに左側から取り付けられている。
【００６５】
また、右コイル部材５２Ｒのコイル部６８には、感光ドラム１２の右フランジ部材４２Ｒの軸受嵌合部４４が圧入されている。
【００６６】
これにより、右コイル部材５２Ｒのコイル部６８は、右軸受部材５１Ｒの左側において、軸受嵌合部４４の外周面に巻き付けられている。
（３−１）左軸受ユニット
左軸受ユニット３６Ｌは、左軸受部材５１Ｌと左コイル部材５２Ｌとを備えている。
【００６７】
左軸受部材５１Ｌは、筒部５３と鍔部５４とを一体的に備えている。
【００６８】
筒部５３は、左右に延び、両端部が開放された略円筒形状に形成されている。筒部５３の外径は、内側板３２のドラム支持穴３７の内径よりわずかに小径である。また、筒部５３の内径は、左フランジ部材４２Ｌの軸受嵌合部４４が遊嵌されるように、左フランジ部材４２Ｌの軸受嵌合部４４の外径よりわずかに大径である。
【００６９】
鍔部５４は、筒部５３の左端部から径方向外側に突出する略円環形状に形成されている。また、鍔部５４には、上下１対の係止部５５が設けられている。
【００７０】
上側の係止部５５は、正面視略Ｌ字形状に形成されており、鍔部５４の上端縁から上方に突出し、その上端縁において右側へ屈曲されている。また、下側の係止部５５は、正面視略Ｌ字形状に形成されており、鍔部５４の下端縁から下方に突出し、その下端縁において右側へ屈曲されている。
【００７１】
左軸受部材５１Ｌは、筒部５３がドラム支持穴３７に内嵌され、両係止部５５が対応する軸受係止部３８に係止されるように、左内側板３２Ｌに左側から取り付けられている。
【００７２】
また、左軸受部材５１Ｌの筒部５３内には、左フランジ部材４２Ｌの軸受嵌合部４４が、相対回転可能に内嵌されている。
【００７３】
左コイル部材５２Ｌは、金属ワイヤなどからコイル状に形成され、例えば、コイルばねなどからなり、第２被支持部の一例としての係止端部５６と、連結部５７と、第２巻付部の一例としてのコイル部５８とを備えている。
【００７４】
係止端部５６は、左右方向に延びる略直線形状に形成されている。
【００７５】
連結部５７は、係止端部５６の右端部から連続して、前下側へ延びる略直線形状に形成されている。
【００７６】
コイル部５８は、右側面視時計回りに巻かれ、連結部５７の下端部から連続して右側へ延びる螺旋形状に形成されている。また、コイル部５８の内径は、感光ドラム１２の左フランジ部材４２Ｌの軸受嵌合部４４の外径よりもわずかに小径である。
【００７７】
左コイル部材５２Ｌの係止端部５６は、コイル係止溝３９の前端部内に嵌合されるように、左内側板３２Ｌに右側から取り付けられている。
【００７８】
つまり、右コイル部材５２Ｒの係止端部６６と、左コイル部材５２Ｌの係止端部５６とは、ともに、同一形状に形成される両内側板３２のコイル係止溝３９に係止されており、左右方向に投影したときに互いに重なるように、右内側板３２Ｒまたは左内側板３２Ｌに支持されている。
【００７９】
また、左コイル部材５２Ｌのコイル部５８には、感光ドラム１２の左フランジ部材４２Ｌの軸受嵌合部４４が圧入されている。
【００８０】
これにより、左コイル部材５２Ｌのコイル部５８は、左軸受部材５１Ｌの右側において、軸受嵌合部４４の外周面に巻き付けられている。
（４）ドラムサブユニット
ドラムサブユニット３０は、図２に示すように、両内側板３２間において、フロントビーム３４とリヤビーム３５との間に、各感光ドラム１２の後側に配置されるように、前後方向に互いに等間隔を隔てて４つ並列配置されている。
【００８１】
各ドラムサブユニット３０は、左右に延びる略三角柱形状に形成されている。各ドラムサブユニット３０には、左右方向に沿って、スコロトロン型帯電器１３が保持されている。
（５）ドラムユニットの組み立て
次いで、ドラムユニット２４の組み立てを説明する。
【００８２】
ドラムユニット２４を組み立てるには、まず、各左軸受部材５１Ｌを左内側板３２Ｌに取り付ける。
【００８３】
左軸受部材５１Ｌを左内側板３２Ｌに取り付けるには、図４に示すように、両係止部５５が対応する軸受係止部３８の左側に配置され、筒部５３がドラム支持穴３７の左側に配置されるように、左軸受部材５１Ｌを左内側板３２Ｌの左側に位置決めし、筒部５３をドラム支持穴３７内に挿入するように、左軸受部材５１Ｌを左内側板３２Ｌに対して左側から取り付ける。
【００８４】
すると、筒部５３がドラム支持穴３７内に挿入されるとともに、両係止部５５が対応する軸受係止部３８に係止され、左軸受部材５１Ｌの左内側板３２Ｌへの取り付けが完了する。
【００８５】
別途、各感光ドラム１２に、両コイル部材５２および右軸受部材５１Ｒを取り付ける。
【００８６】
感光ドラム１２に両コイル部材５２を取り付けるには、左コイル部材５２Ｌのコイル部５８に、感光ドラム１２の左フランジ部材４２Ｌの軸受嵌合部４４を圧入するとともに、右コイル部材５２Ｒのコイル部６８に、感光ドラム１２の右フランジ部材４２Ｒの軸受嵌合部４４を圧入する。
【００８７】
これにより、左コイル部材５２Ｌのコイル部５８が、左フランジ部材４２Ｌの軸受嵌合部４４の外周面に巻き付けられるとともに、右コイル部材５２Ｒのコイル部６８が、右フランジ部材４２Ｒの軸受嵌合部４４の外周面に巻き付けられる。
【００８８】
その後、感光ドラム１２の右フランジ部材４２Ｒに右軸受部材５１Ｒを取り付ける。
【００８９】
右フランジ部材４２Ｒに右軸受部材５１Ｒを取り付けるには、図５に示すように、筒部６１が軸受嵌合部４４の右側に配置されるように、右軸受部材５１Ｒを右フランジ部材４２Ｒの右側に位置決めし、軸受嵌合部４４に筒部６１を外嵌するように、右軸受部材５１Ｒを右フランジ部材４２Ｒに対して右側から取り付ける。
【００９０】
すると、筒部６１が軸受嵌合部４４に相対回転可能に外嵌され、右軸受部材５１Ｒの右フランジ部材４２Ｒに対する取り付けが完了する。
【００９１】
次いで、すべての感光ドラム１２に両コイル部材５２および右軸受部材５１Ｒが取り付けられた後、各感光ドラム１２を右内側板３２Ｒに組み付ける。
【００９２】
感光ドラム１２を右内側板３２Ｒに組み付けるには、図４に示すように、右軸受部材５１Ｒの両係止部６５が、対応する軸受係止部３８の左側に配置され、右軸受部材５１Ｒの筒部６１が、ドラム支持穴３７の左側に配置されるように、感光ドラム１２を右内側板３２Ｒの左側に位置決めし、右軸受部材５１Ｒの筒部６１をドラム支持穴３７内に挿入するように、感光ドラム１２を右内側板３２Ｒに対して左側から取り付ける。
【００９３】
このとき、同時に、右コイル部材５２Ｒの係止端部６６を、コイル係止溝３９の前端部に係止する。
【００９４】
すると、右軸受部材５１Ｒの筒部６１がドラム支持穴３７内に挿入されるとともに、右軸受部材５１Ｒの両係止部６５が対応する軸受係止部３８に係止され、感光ドラム１２の右内側板３２Ｒへの取り付けが完了する。
【００９５】
これにより、感光ドラム１２の右端部は、右軸受部材５１Ｒを介して、右内側板３２Ｒに回転可能に支持される。すなわち、各右軸受部材５１Ｒおよび右内側板３２Ｒは、感光ドラム１２の右端部を回転可能に支持する第１支持部材として機能する。
【００９６】
また、右コイル部材５２Ｒの係止端部６６が、右内側板３２Ｒのコイル係止溝３９の前端部に揺動自在に支持される。
【００９７】
次いで、各感光ドラム１２を左内側板３２Ｌに組み付ける。
【００９８】
感光ドラム１２を左内側板３２Ｌに組み付けるには、左フランジ部材４２Ｌの軸受嵌合部４４が、左軸受部材５１Ｌの筒部５３の右側に配置されるように、感光ドラム１２を左内側板３２Ｌの右側に位置決めし、軸受嵌合部４４を筒部５３内に挿入するように、感光ドラム１２を左軸受部材５１Ｌに対して右側から取り付ける。
【００９９】
このとき、同時に、左コイル部材５２Ｌの係止端部５６を、左内側板３２Ｌのコイル係止溝３９の前端部に係止する。
【０１００】
すると、左フランジ部材４２Ｌの軸受嵌合部４４が、左軸受部材５１Ｌの筒部５３内に相対回転可能に嵌合され、感光ドラム１２の左軸受部材５１Ｌに対する取り付けが完了する。
【０１０１】
これにより、感光ドラム１２の左端部は、左軸受部材５１Ｌを介して、左内側板３２Ｌに回転可能に支持される。すなわち、各左軸受部材５１Ｌおよび左内側板３２Ｌは、感光ドラム１２の左端部を回転可能に支持する第２支持部材として機能する。
【０１０２】
また、左コイル部材５２Ｌの係止端部５６が、左内側板３２Ｌのコイル係止溝３９の前端部に揺動自在に支持される。
【０１０３】
これにより、図３に示すように、両内側板３２間に感光ドラム１２が支持される。
【０１０４】
そして、すべての感光ドラム１２を両内側板３２間に支持した後、両内側板３２間にドラムサブユニット３０、フロントビーム３４およびリヤビーム３５を取り付けるとともに、両内側板３２の外側に両外側板３３を取り付ける。
【０１０５】
各ドラムサブユニット３０を取り付けるには、各ドラムサブユニット３０を、所定の位置において、両内側板３２間に組み付け、ねじ止めなどの方法により、両内側板３２に取り付ける。
【０１０６】
次いで、フロントビーム３４を両内側板３２間に組み付けるとともに、リヤビーム３５を両内側板３２間に組み付ける。また、両外側板３３を、両内側板３２に対して左右方向外側から組み付ける。
【０１０７】
そして、両内側板３２を挟むように、フロントビーム３４およびリヤビーム３５と、外側板３３とをねじ止めする。
【０１０８】
これにより、ドラムユニット２４の組み立てが完了する。
３．感光ドラムの揺動
そして、上記した画像形成動作において、感光ドラム１２が左側面視時計回り（右側面視反時計回り）に回転されると、感光ドラム１２の右端部は、図６（ａ）に示すように、右コイル部材５２Ｒの巻き方向（左側面視反時計回り）と逆の方向（左側面視時計回り）に回転される（細い実線矢印参照）。
【０１０９】
このとき、右コイル部材５２Ｒは、感光ドラム１２の回転に伴って、左側面視時計回りに付勢されるが、係止端部６６が右内側板３２Ｒのコイル係止溝３９に係止されているため、係止端部６６を支点として、左側面視時計回りに揺動される（太い点線矢印参照）。
【０１１０】
これにより、感光ドラム１２の右端部は、右コイル部材５２Ｒの係止端部６６を支点として、左側面視時計回りに揺動され、後下側へ付勢される（太い実線矢印参照）。
【０１１１】
なお、このとき、感光ドラム１２の右端部は、右コイル部材５２Ｒのコイル部６８による締め付けを緩めるように回転される。
【０１１２】
また、図６（ｂ）に示すように、感光ドラム１２の左端部は、左コイル部材５２Ｌの巻き方向（右側面視時計回り）と逆の方向（右側面視反時計回り）に回転される（細い実線矢印参照）。
【０１１３】
このとき、左コイル部材５２Ｌは、感光ドラム１２の回転に伴って、右側面視反時計回りに付勢されるが、係止端部５６が左内側板３２Ｌのコイル係止溝３９に係止されているため、係止端部５６を支点として、右側面視反時計回りに揺動される（太い点線矢印参照）。
【０１１４】
これにより、感光ドラム１２の左端部は、左コイル部材５２Ｌの係止端部５６を支点として、右側面視反時計回りに揺動され、後下側へ付勢される（太い実線矢印参照）。
【０１１５】
なお、このとき、感光ドラム１２の左端部は、左コイル部材５２Ｌのコイル部５８による締め付けを緩めるように回転される。
【０１１６】
これにより、感光ドラム１２は、現像ローラ１５の感光ドラム１２に対する接触方向（前上側から後下側へ向かう方向、細い点線矢印参照）と同じ方向へ付勢される。
４．作用効果
（１）このドラムユニット２４およびカラーレーザプリンタ１によれば、図６（ａ）および図６（ｂ）に示すように、各感光ドラム１２の左右両端部は、各感光ドラム１２が両コイル部材５２の巻き付け方向と反対の方向（左側面視時計回り）に回転されたときに、左コイル部材５２Ｌの係止部５５、および、右コイル部材５２Ｒの係止部５５を支点として、左側面視時計回りに揺動される。
【０１１７】
つまり、各感光ドラム１２を、両コイル部材５２の係止部５５を支点として、左側面視時計回りに揺動させ、後下側へ付勢することができる。
【０１１８】
そのため、各感光ドラム１２が両軸受部材５１に遊びを有する状態で支持されている場合でも、各感光ドラム１２を画一的に左側面視時計回りに揺動させて、遊びによる各感光ドラム１２の相対配置のずれを低減することができる。
【０１１９】
その結果、各感光ドラム１２の相対配置を精度よく位置決めすることができ、各色の画像を精度よく重ね合わせることができる。
（２）このドラムユニット２４およびカラーレーザプリンタ１によれば、図３に示すように、両コイル部材５２は、それぞれ、同一形状に形成される両内側板３２のコイル係止溝３９に係止されており、左右方向に投影したときに互いに重なるように、両内側板３２に支持されている。
【０１２０】
そのため、右コイル部材５２Ｒの係止端部５６、および、左コイル部材５２Ｌの係止端部６６を回転軸として、左右方向に投影したときに、感光ドラム１２の両端部を同じ支点で揺動させることができる。
【０１２１】
これにより、確実に、感光ドラム１２の左右両端部を画一的に左側面視時計回りに揺動させることができる。
【０１２２】
その結果、各感光ドラム１２の相対配置をより精度よく位置決めすることができる。
（３）このドラムユニット２４およびカラーレーザプリンタ１によれば、感光ドラム１２は、右コイル部材５２Ｒの係止端部５６、および、左コイル部材５２Ｌの係止端部６６を支点として、現像ローラ１５の感光ドラム１２に対する接触方向（前上側から後下側へ向かう方向）と同じ方向へ付勢される。
【０１２３】
そのため、現像ローラ１５の感光ドラム１２に対する接触方向において、各感光ドラム１２の相対配置を、より一層、精度よく位置決めすることができる。
（４）このドラムユニット２４およびカラーレーザプリンタ１によれば、両コイル部材５２の内径は、対応するフランジ部材４２の軸受嵌合部４４の外径よりもわずかに小径である。
【０１２４】
つまり、両コイル部材５２は、対応するフランジ部材４２の軸受嵌合部４４を締め付けることにより、感光ドラム１２に対して所定の摩擦力を付与する。
【０１２５】
そのため、両コイル部材５２の摩擦力に抗しながら、一定の速度で感光ドラム１２を回転させることができる。
【０１２６】
その結果、感光ドラム１２の回転変動（バンディング）を抑制し、感光ドラム１２を安定して回転させることができる。
５．変形例
上記した実施形態では、両コイル部材５２の係止端部（係止端部５６および係止端部６６）を、それぞれ対応する内側板３２に揺動自在に支持したが、両コイル部材５２の係止端部（係止端部５６および係止端部６６）を、それぞれ対応する両軸受部材５１に揺動自在に支持することもできる。
【０１２７】
詳しくは、両軸受部材５１にコイル係止溝３９を形成し、右コイル部材５２Ｒの係止端部６６を右軸受部材５１Ｒに揺動自在に支持するとともに、左コイル部材５２Ｌの係止端部５６を左軸受部材５１Ｌに揺動自在に支持する。
【０１２８】
また、上記した実施形態では、両コイル部材５２のコイル部（コイル部５８およびコイル部６８）を、感光ドラム１２の回転方向と逆方向に巻き、連結部（連結部６７および連結部５７）の下端部から連続して、左右方向内側へ延びる螺旋形状に形成したが、コイル部（コイル部５８およびコイル部６８）は、感光ドラム１２の回転方向と逆方向に巻かれていれば、その延びる方向は特に限定されない。
【０１２９】
例えば、右コイル部材５２Ｒのコイル部６８を、左側面視反時計回りに巻き、連結部６７の下端部から連続して左側へ延びる螺旋形状に形成することもでき、左コイル部材５２Ｌのコイル部５８を、右側面視時計回りに巻き、連結部５７の下端部から連続して左側へ延びる螺旋形状に形成することもできる。
【符号の説明】
【０１３０】
１      カラーレーザプリンタ
２      本体ケーシング
１２    感光ドラム
１５    現像ローラ
２４    ドラムユニット
３２Ｒ  右内側板
３２Ｌ  左内側板
５１Ｒ  右軸受部材
５１Ｌ  左軸受部材
５２Ｒ  右軸受部材
５２Ｌ  左軸受部材
５６    係止端部
５８    コイル部
６６    係止端部
６８    コイル部
【図１】
2012073445.tif 000003
【図２】
2012073445.tif 000004
【図３】
2012073445.tif 000005
【図４】
2012073445.tif 000006
【図５】
2012073445.tif 000007
【図６】
2012073445.tif 000008